(57)【要約】  車両通信システムは、車両または他所にてモバイルデバイスとのハンズフリー相互交信を促進する。ユーザは、システムに話しかけることによってこれと交信する。システムはテキストを処理し、コマンドを処理する。システムは、ハンズフリー使用のためＢｌｕｅｔｏｏｔｈ無線技術をサポートする。システムは、電話呼、ｅメール、及びＳＭＳテキストメッセージを取り扱う。ユーザは、インターネットウェブサーバに格納されたユーザプロファイルを通じてデバイスをカスタマイズできる。
2009503920.tif 000002
【特許請求の範囲】
【請求項１】
車両通信システムであって、
車両内の制御装置と、
データネットワークアクセスを有するモバイル通信デバイスとを備え、前記モバイルデバイスは、前記データネットワークを介して受信する情報が前記モバイル通信デバイスで処理及び表示される独立モードと、情報が前記データネットワークと前記デバイスとを介して受信され前記制御装置によって処理される没入モードとを有し、前記モバイルデバイスは、前記制御装置に対する前記デバイスの近接に基づき独立モードから没入モードへ自動的に切り替わる、車両通信システム。
【請求項２】
前記モバイルデバイスは、前記モバイルデバイスと前記制御装置との間の通信の成立に基づきモードを切り替える、請求項１に記載のシステム。
【請求項３】
前記モバイルデバイスは、前記制御装置と前記モバイルデバイスのうち一方が前記制御装置と前記モバイルデバイスのうち他方の存在を検出することに基づきモードを切り替える、請求項１に記載のシステム。
【請求項４】
前記情報は複数のｅメールを含み、前記制御装置は前記複数のｅメールの中にあるテキストを可聴スピーチに変換し、且つ前記可聴スピーチを前記車両の中で再生する、請求項１に記載のシステム。
【請求項５】
ユーザから音声コマンドを受け取るマイクロフォンをさらに含み、前記制御装置は前記音声コマンドを処理し、且つ前記音声コマンドに基づき前記可聴スピーチを再生する、請求項４に記載のシステム。
【請求項６】
前記モバイルデバイスに対応するユーザプロファイルをさらに含み、前記制御装置は前記ユーザプロファイルに基づき前記情報を処理する、請求項１に記載のシステム。
【請求項７】
前記制御装置は、前記プロファイルに対応する前記モバイルデバイスの識別に基づき前記ユーザプロファイルを選択する、請求項６に記載のシステム。
【請求項８】
前記制御装置は、前記ユーザプロファイルに基づき前記ユーザへ前記情報を提示すべきときを判断する、請求項６に記載のシステム。
【請求項９】
前記情報は複数のｅメールを含み、該複数のｅメールのうちいくつかは、前記ユーザプロファイルに基づき前記ユーザへ提示される、請求項８に記載のシステム。
【請求項１０】
前記ユーザプロファイルは、前記制御装置が前記複数のｅメールの一部を前記ユーザへ提示せずこれに自動的に返答するにあたって依拠する基準を含む、請求項９に記載のシステム。
【請求項１１】
前記ユーザプロファイルを含む複数のプロファイルは、インターネットを介してアクセスできるサーバに格納され、前記ユーザプロファイルは、ユーザによってインターネットを介しサーバにて修正でき、前記制御装置は、前記モバイルデバイスの前記データネットワークアクセスを通じて前記サーバから前記ユーザプロファイルをダウンロードする、請求項６に記載のシステム。
【請求項１２】
前記モバイルデバイスはまた、音声ネットワークアクセスを有し、没入通信モードにある前記モバイルデバイスによって取り扱われる音声呼は、前記制御装置を介して接続された少なくとも１つのスピーカーを通じて再生される、請求項１に記載のシステム。
【請求項１３】
車両の中で通信する方法であって、
ａ）前記車両の中でモバイルデバイスの存在を判断するステップと、
ｂ）前記モバイルデバイスを介して前記車両の中へｅメールをダウンロードするステップと、
ｃ）前記ステップａ）に基づき、前記ｅメールのテキストをスピーチに変換し、前記ユーザのため前記スピーチを聞こえるように再生するステップとを含む、方法。
【請求項１４】
前記モバイルデバイスに対応するユーザプロファイルに基づき前記ステップｃ）を遂行するか否かを判断するステップをさらに含む、請求項１３に記載の方法。
【請求項１５】
前記ステップａ）に基づき独立モードから没入通信モードへ前記モバイルデバイスを切り替えるステップをさらに含む、請求項１４に記載の方法。
【発明の詳細な説明】
【技術分野】
【０００１】
本願は、２００５年６月１３日に提出された米国仮出願第６０／６８９，９５９号、２００５年１０月２５日に提出された同第６０／７２９，９０５号、２００５年１１月１０日に提出された同第６０／７３６，１０２号、２００６年１月３１日に提出された同第６０／７６３，６６０号、２００６年２月２８日に提出された同第６０／７７７，４２４号、及び２００６年５月２６日に提出された同第６０／８０３，３２９号に対し優先権を主張するものである。
【背景技術】
【０００２】
本発明は、車両の中で情報を管理し通信するシステムに関する。より具体的に、本発明は、電話呼、ｅメール、テキストメッセージング、及びモバイルデバイスのその他機能のハンズフリー（ｈａｎｄｓ−ｆｒｅｅ）使用を提供するため携帯電話機、ＰＤＡ、またはその他モバイルデバイスと一体化するシステムに関する。
【０００３】
ｅメール、インスタントメッセージング、及びその他オンラインメディアを用いて重要情報を交換することは、今日の接続されたライフスタイルとビジネス環境の中で成功する上で不可欠である。私たちは、重要なｅメール、タイムリーな更新、そして適切な意思決定にあたってコンスタントな接続に依存している。残念ながら、このオンライン情報を運転中にモバイルデバイスや可視画面で管理することは極めて困難であり危険である。
【０００４】
これらの安全上の危険に対処するため、多くの州は、車の中にいるときに携帯電話機をはじめとするモバイルデバイスの使用を制限する法律を施行している。これを踏まえ、携帯電話機のためのハンズフリーデバイスの人気が増している。ただしそれでも多くのユーザは、運転と自身の無線デバイスの操作を試みながら注意が散漫になっている。
【発明の開示】
【発明が解決しようとする課題】
【０００５】
車両の中にいるときに様々な情報を安全に管理し通信するための処置が求められている。
【課題を解決するための手段】
【０００６】
本発明は、運転体験を向上させつつ、重要オンライン情報を管理するための便利で安全なハンズフリーインターフェイスを提供することにより、このニーズに対処する。ハンドヘルド（ｈａｎｄｈｅｌｄ）デバイスにぎこちなく手を伸ばし、道路から目をそらして新しいｅメールを読むのではなく、本発明は車両に間断なく一体化し、重要情報を運転手に向けて直に読み上げる。音声方式のインターフェイスは、運転手が道路に傾注することを可能にしつつ、あらゆるコミュニケーションニーズに対し統一的アクセスを提供する。
【０００７】
本発明は、モバイルデバイス及び車両ハンズフリーオーディオシステムまたはヘッドセットと直に無線交信する小型デバイスを提供し、運転手がｅメールを聞き管理すること、電話を通じてｅメールに速やかに応答すること、ＳＭＳメッセージを作成すること、そして電話に出ることと折り返し電話をかけることとを可能にする。運転手はこれに話しかけこれを聞くことができ、車両の運転と操縦に集中し続けることができる。内蔵インテリジェントインフォメーションマネージャは、最も重要なメッセージだけが最初に聞こえるようにするため着信情報を解析し優先順位を付ける一方で、適切な応答を自動的に組み立てる。
【発明を実施するための最良の形態】
【０００８】
図１には、車両８に実装された通信システム１０が示されている。システム１０は、好ましくはダッシュボードの下やグローブボックスの中等、車両８内の目立たない場所に載置される、デバイス制御装置１１を含む。制御装置１１は、携帯電話機、ＰＤＡ、またはその他モバイルデバイス１２と無線で通信するため、Ｂｌｕｅｔｏｏｔｈ（ＩＥＥＥ  ８０２．１５．１）または他の何らかの無線規格を通じて無線通信をサポートする。データ１３はどれも送信に先駆け暗号化される。制御装置１１のオーディオ出力は、車両のカーステレオ１６へ無線１４で送信されるか、または直接有線接続１５を通じて送信される。制御装置１１のためのオーディオ入力は、直に接続されたマイクロフォン１７を通じて、既存の車両ハンズフリーシステムを通じて、またはモバイルデバイス１２へ接続されたヘッドセット１８を通じて、得られる。
【０００９】
制御装置１１は、電力のため車両のバッテリー１９へ接続する。自宅または職場での使用にあたってはＡＣアダプタを利用できる。別の車両でのポータブル使用にあたっては、電力のためシガレットライターアクセサリーソケットにオプションの「Ｙ」またはパススルーケーブルを差し込むことができる。
【００１０】
制御装置１１は、運転手が新規または交換リモコンを登録すること、デバイスと新規モバイルデバイス１２とを組み合わせて対にすること、そして全ての選好設定（ｐｒｅｆｅｒｅｎｃｅ）を解消してデバイスをこれの工場出荷時デフォルト設定へ戻すことを可能にする、陥没したボタン２０を収容する。制御装置１１はまた、電力及びシステムの健全性、車両の接続ステータス及び活動、モバイルデバイスの接続ステータス及び活動、そして情報アクセス及び一般的ステータスを表示する、４つのステータスライト２１一式を有する。
【００１１】
一例において、制御装置１１とモバイルデバイス１２は、ユーザが、そしてユーザの対応するモバイルデバイス１２が、車両に接近していることを、または車両に入ったことを、認識する。これは、例えばデバイスと車両とのＢｌｕｅｔｏｏｔｈ組み合わせ（ｐａｉｒｉｎｇ）により、または同様の無線通信開始プロトコルにより、達成することができる。ハンドヘルドデバイス１２はこの範囲内で、これの平常の独立作動モードから、制御装置１１を通じて作動する没入通信モードへ変化する。後ほどより詳しく説明するとおり、このモードはとりわけ、ユーザが、車両のサウンドシステム１６を通じて再生される、またはモバイルデバイス１２のサウンドシステムが、例えばヘッドフォン１８が、装備される場合にこれを通じて再生される、自身のｅメールを聞くことを可能にする。車両８の中にある、またはモバイルデバイス１２上にある、マイクロフォン１７は、ユーザが発する音声コマンドを検出する。よってユーザはモバイルデバイス１２でモードを変更する必要がなく、代わりに制御装置１１と対応するモバイルデバイス１２とが車両８のすぐ近くにユーザがいることを認識し、相応にモードを調整する。
【００１２】
車両近接に基づいてモードを調整することに加え、システム１０はパブリックモードとプライベートモードとの間で調整を行うことができる。例えば上述したとおり、システムの没入通信モードは通例、ユーザが車両８のすぐ近くにいるときに成立する。この没入通信モードはパブリック設定とプライベート設定とを有することができる。パブリック設定は、モバイルデバイス１２に対応するヘッドフォン１８でｅメールを再生する。かかる設定は、ユーザが車両８の他の乗員に迷惑をかけるのを防ぐ。プライベート設定は車両サウンドシステム１６でｅメールを再生し、通常ならばユーザが車両８の唯一の乗員である場合に使用される。
【００１３】
勿論、かかるシステム設定は、ユーザと、これのユーザプロファイルにある特定の選好設定とによって調整できる。例えばユーザは、モバイルデバイス１２とユーザが車両８から一定の距離内にあるときに没入通信モードへ切り替わることを選好するかもしれないが、別のユーザは、モバイルデバイス１２とユーザが車両８に入ったときにだけモードを切り替えるかもしれない。さらにユーザは、たとえ車両８の中に他の乗員がいる場合でも、制御装置１１と対応するデバイス１２とをパブリックモードで操作することを所望するかもしれない。
【００１４】
同様に、システム１０はユーザが車両８を離れることを認識し、モバイルデバイス１２は独立（平常）モードに戻る。モバイルデバイス１２はまた、（ＧＰＳまたはその他の情報に基づき）ユーザが車両８を離れるときの車両の位置を記録できる。したがってユーザは後ほど、デバイスにて、またはシステム上の他所にて、車両の位置を思い出すことができ、これは車両８を見つけるにあたってユーザの役に立つ。
【００１５】
デバイスは複数のＵＳＢポート２２を有する。運転手が選好設定、設定、オフラインメモ及び筆記を標準ＵＳＢフラッシュドライブに格納すること、将来の拡張、アップグレード、及びアドオン機能を許すこと、そして高速インターネットアクセスのためイーサネットドングルを接続する機能を提供する標準ＵＳＢポートがある。加えて、制御装置１１は上述した機能に加え、標準ケーブルによってノートブックコンピュータのＵＳＢポートへ直に接続することにより（つまり、ちょうどポータブルカメラまたはＧＰＳ装置をコンピュータへ直に接続するように）、ＵＳＢ  ２．０「オン・ザ・ゴー（ｏｎ−ｔｈｅ−ｇｏ）」機能を提供する二重目的ＵＳＢ  ２．０ポートを有する。
【００１６】
制御装置１１のポートはこの他に、Ｂｌｕｅｔｏｏｔｈサポートがないカーステレオへ接続するための１／８インチオーディオジャック２３と、ハンズフリー通話のため外部上質マイクロフォンをサポートするための１／８インチマイクロフォンジャック２４と、車両から離れた場所で、またはＢｌｕｅｔｏｏｔｈサポートがない車両の中で、使用する１／８インチステレオヘッドセットジャック２５とを含む。
【００１７】
システム１０はまた、制御装置１１とやり取りするためオプションのリモコン装置２６を含む。このリモコン装置は、一般的な車両のための遠隔キーレスエントリーリモコンのそれと同様のリチウムバッテリーを内蔵する。
【００１８】
セキュリティとプライバシーを提供するため、デバイスは認証と暗号化の両方を使用する。セキュリティをさらに高めるため、音声方式の生体認証を使用することもできる。
【００１９】
運転手は、自身のデバイス設定を自身の設定プロファイル３０に格納する。このプロファイル３０は、インターネットサーバ２７上のデータベースに格納できる。制御装置１１は、インターネットを介して運転手のプロファイル３０をダウンロードするため、運転手のモバイルデバイス１２から提供されるインターネットアクセスを利用する。制御装置１１はまた、サーバ２７から該当するプロファイル３０を引き出すため、モバイルデバイス１２からの組み合わせ情報を使用する。制御装置１１は、もしプロファイル３０がダウンロード済みなら、サーバ２７で変更と更新とをチェックするだけでよい。サーバ２７の各プロファイル３０は、制御装置１１が運転手へのコンテンツ配信について決定を下すにあたって使用する１組のルールを収容する。運転手は、ウェブ方式インターフェイス２８を使用しながらインターネットを通じて、または対応するモバイルデバイス１２から直にアクセスできる簡素なインターフェイスを通じて、インターネットサーバ２７にある自身のプロファイル３０にアクセスでき、これを修正できる。代わりに、プロファイル３０は常に専ら制御装置１１で格納及び修正され、モバイルデバイス１２を通じて、及び／またはラップトップまたはデスクトップコンピュータへのＵＳＢ接続を通じて、アクセスできる。
【００２０】
図２に示すとおり、制御装置１１は、テキスト処理モジュール３４と、車両通信モジュール３６と、スピーチ認識モジュール３８と、Ｂｌｕｅｔｏｏｔｈ（またはその他の無線通信）モジュール４０と、モバイルデバイス通信モジュール４２と、テキスト−スピーチモジュール（ｔｅｘｔ−ｔｏ−ｓｐｅｅｃｈ  ｍｏｄｕｌｅ）４４と、ユーザインターフェイスモジュール４６と、リモートデバイス挙動コントローラ４８とを含む。制御装置１１はｅメール処理エージェント５０を有し、同ｅメール処理エージェントはｅメールメッセージを処理し、送信者の身元と、メッセージに添付ファイルがあるか否かと、ある場合には添付ファイルのタイプとを判断し、その上でメッセージの本文を抽出する。制御装置１１はまた、メッセージが案内／催促状か、ニュースか、それとも単に通常のｅメールメッセージかを判断する。制御装置１１は、ｅメールに排除すべき部分（例えば必要以上に長い署名）があるか否かを判断するためデータマイニングアルゴリズムを使用する。
【００２１】
ハンズフリーｅメール
システムの一機能にハンズフリーｅメールがある。制御装置１１はテキスト−スピーチモジュール４４を使用しながら運転手に向かってｅメールを読むことができる。制御装置１１は新しいｅメールが届くときにプロファイル３０を用いてインテリジェントフィルタリング優先順位付けシステムを誘導し、同システムにより運転手は、ｅメールがフィルタされ優先順位に従って読まれるよう徹底でき、新着ｅメールによる中断の頻度を制限でき、運転手を介入させずに自動返答を送信でき、特定のｅメールを中断をまじえず第三者へ転送できる。加えて、制御装置１１は読み上げに先駆け、明確さを最大限に高めるためｅメールを処理する。そのプロセスは、頭字語、記号、及びその他の込み入った構造を検出することと、それらが読まれたときに容易に理解できるよう徹底することとを伴う。制御装置１１は、読み上げられるときにｅメールの重要な内容を聞くのにかかる時間を短縮するため、インテリジェントｅメール要約を提供する。
【００２２】
運転手は、「戻れ」及び「進め」を含む音声コマンドを使って制御装置１１とやり取りでき、制御装置１１はｅメールの中で前の語句または文へ、あるいは次の語句または文へ、それぞれ進むことによってこれに応答する。加えて、「戻れ、戻れ」と話すと２つの語句または文を遡る。
【００２３】
ハンズフリーｅメール機能はこのほかに、運転手がｅメールの最も重要な内容または意味だけを聞くことを可能にする時間節約フィルタリングシステムを含む。もうひとつのｅメール関係機能は、可聴ｅメールに新しい次元を加えるため、そして非公式ｅメールスタイル（すなわちｌ８ｒ，ｔｔｙｌ）を解析するため、カスタムｅメールパーサーをダウンロードできる。
【００２４】
ハンズフリーｅメール機能はコンテンツリッチ通知を含む。制御装置１１は、新着ｅメールを通知するときに、着信ｅメールについて短い摘要を提供し、運転手は重要性の高いメッセージに優先順位をつけることができる。例えば、「サリーからメールが届いています」（ｅメールの発呼者ＩＤに類似）や「キャシーから重要な会合の要請が届いています」などである。制御装置１１は、モバイルデバイス１２にあるユーザのアドレス帳で送信者のｅメールアドレスに基づき既知の連絡先名を照会する。制御装置１１は既知の連絡先名を使用することにより、暗号めいたｅメールアドレスをただ読み上げる代わりに、ｅメールの相手方を識別する。
【００２５】
ｅメールを読むことに加え、制御装置１１は運転手が応答を作成することを可能にする。運転手は、既存のテキストまたは音声テンプレート（すなわち「私は車の中にいます、（番号）にかけてください」または「私は車の中にいます、できるだけ速やかに返答します」）を使って返答を送信できる。．ｗａｖや．ｍｐ３ファイルの形をとる音声記録として新しいｅメールを作成し、送ることもできる。運転手には、アドレス帳の中にある連絡先情報を使ってｅメールの送信者に電話をかけたり、会合要請やカレンダー更新（すなわちＯｕｔｌｏｏｋ）に応答するオプションも提供される。ｅメールの内容を書き取らせることによって自由形式テキスト応答としてｅメールを作成することもできる。デバイスはｅメール送信のためこれをテキスト形式に変換する。必要に応じて取り得る行動を提言し援助を提供するインテリジェントアシスタントを速やかに利用できる。これらのオプションも制御装置１１によって口頭の問い合わせにより指示され、運転手はこれを音声コマンドによって選択できる。
【００２６】
制御装置１１は複数のｅメールアカウントをサポートし、ｅメールは既存のアカウントから作成できる。着信するｅメールもまたアカウントに基づき理論的に処理でき、優先順位をつけることができる。カスタムドメイン上でオプションの車内ｅメールアドレスを利用できる。このアドレスから送信されるｅメールは、これが移動中に作成されたことを知らせる通知を含む。車内ｅメールアドレスに向けてｅメールを作成する送信者は、このｅメールが車両の中で読み上げられることを承知する。もしも従来のｅメールが「ｇｅｏｒｇｅ＠ｗｏｒｋ．ｎｅｔ」なら、車内アドレスは「ｇｅｏｒｇｅ＠ｄｒｉｖｉｎｇ．ｎｅｔ」としてよい。サポートされたｅメールシステムでは、オプションの強化既存ｅメールアドレスを利用することもできる。例えばもしも従来のｅメールがｇｅｏｒｇｅ＠ｗｏｒｋ．ｃｏｍなら、ｇｅｏｒｇｅ＋ｄｒｉｖｉｎｇ＠ｗｏｒｋ．ｃｏｍの強化車内アドレスを選択できる。
【００２７】
強化ハンズフリー電話呼
本発明のもうひとつの機能は強化ハンズフリー電話呼である。これは、既存ハンズフリーシステムの透過的使用を含む。既存車両ハンズフリーシステムかユーザヘッドセット１８を全ての着信電話呼に使用できる。運転手が電話中に予期される重要なｅメールが届くと、「ｅメール待機」インジケータ（ライト及び／または控えめな音）が会話を邪魔せず控えめに通知する。プライバシーのため、または明確さを最大限に高めるため、ヘッドセット１８はいつでも起動できる。制御装置１１はプライバシーのため、車両ハンズフリーシステムから個人的なヘッドセット１８へ間断なく切り替える。
【００２８】
制御装置１１はまた、強化発呼者ＩＤを備える。デバイスは、発呼者の名前または番号を読み上げることによって着呼を知らせる（例えば「ジョン・ドウから電話がかかっています、電話に出ますか？」）。これにより、電話の相手が誰なのかを確かめるため道路から目をそらす必要はなくなる。車両認識スクリーニングは運転中に、同じく運転手のプロファイルに基づき、特定の呼をボイスメールへ、または別の番号へ、自動的に転送することもできる。車両を離れるときには平常の転送ルールが再開する。
【００２９】
制御装置１１はまた、電話に出ることと電話をかけることとを音声で行えるようにする。制御装置１１が電話呼を知らせると、運転手は音声コマンドを使ってその呼を受けることができる。運転手は、アドレス帳の中にある連絡先かまたは口頭による電話番号とともに音声コマンドを使って電話をかけることができる（すなわち「クリスタに電話をかけろ」）。
【００３０】
統一的情報管理
本発明のもうひとつの機能として、本発明は統一的情報管理を提供する。制御装置１１は、着信及び発信電話呼、ｅメール、及びその他の情報源への間断なきアクセスのため一貫したインターフェイスを提供する。既存ハンズフリーインターフェイスは、ｅメールを読み重要通知を提供しながら自動的に電話呼を切り替える。車両に入るときには、制御装置１１が自動的に強化音声方式インターフェイスを提供し、モバイルデバイス１２は車両を離れるときに自動的に平常動作を再開する。ｅメールの読み上げは、着信電話呼を受けるため中断でき、その呼が完了したときには再開できる。
【００３１】
加えて、運転手は話すだけでｅメール、電話呼、またはＳＭＳテキストメッセージを通じて連絡先と交信できる。制御装置１１は着信電話呼のため強化情報を提供する。運転手が道路から目をそらさずに発呼者を知るようにするため、名前と番号が、もしも入手可能なら、読み上げられる。アドレス帳の中にある愛称やその他の情報も通知に役立てることができる。
【００３２】
運転手は電話呼によってｅメールに返答することもできる。運転手はｅメールを読んでいるときに、アドレス帳情報で電話をかけることによって送信者に連絡できる。電話をかけるときに話し中の場合は、またはボイスメールがない場合は、代わりにｅメールを同じ連絡先へ送信するオプションがユーザに与えられる。これにより、時間をおいて再びその人に電話をかける必要はなくなる。
【００３３】
運転手は、重要なｅメールがさほど重要でない電話呼によって中断されないようにするため、自身のプロファイル３０の中でｅメールと電話呼とに優先順位を付けることができる。加えて、着信ｅメール及び電話呼の両方にカスタムｍｐ３（またはその他のフォーマット）呼び出し音を関連づけることができる。呼び出し音は、特定の連絡先からのｅメール、特定の連絡先からの電話呼、または特定の主題に関するｅメールによってカスタマイズできる。電話中に重要なｅメールが着信するときには、またはｅメールを読んでいるか作成しているときに重要な電話呼が着信するときには、カスタム「呼待機」可聴インジケータを使用できる。
【００３４】
強化ハンズフリーカレンダー
本発明のもうひとつの機能に強化ハンズフリーカレンダーがあり、ここで制御装置１１は、ユーザのモバイルデバイス１２のカレンダー機能を利用する。制御装置１１はカレンダーの備忘録（ｒｅｍｉｎｄｅｒ）の主題と時間を読み上げ、運転手は必要とあらば音声コマンドでさらなるカレンダー情報にアクセスできる。運転手はまた、スケジュールに組まれたアポ（日付、時間、主題、場所、及び注記を含む）を見直すことにより、サポートされたシステムからの会合要請を了解する、辞退する、または転送することにより（例えばＯｕｔｌｏｏｋ）、会合のスケジュールを組むことにより、そして会合に場所情報の注釈を自動的に付すことにより、移動中スケジュール管理を遂行できる。運転手は場所に基づく備忘録を格納でき、これは次回車両が所定の地域内にいるときに備忘録を提供し、さらに近所の目印に関連する情報を自動的に受け取ることができる。加えて運転手は、他の関係者の位置認識デバイスと直に通信することより、会合の課題を計画し決定できる。
【００３５】
無妨害
本発明のもうひとつの機能に「無妨害（ｄｏ  ｎｏｔ  ｄｉｓｔｕｒｂ）」機能がある。制御装置１１は、車両の中に乗員がいるときに一時的に沈黙させることができる。制御装置１１はたとえ沈黙しているときでも、着信ｅメールの取り扱いと、ｅメールの転送と、自動ｅメール返答の提供と、ｅメール処理とを要望どおり継続する。消音機能も利用できる。
【００３６】
統合音声メモ帳
本発明のもうひとつの機能に、運転手が考えや重要なアイデアを、駐車するときに、またはメモ帳やデバイスを探しているときに、忘れないようにするため、運転中に記録することを可能にする統合音声メモ帳がある。メモは、ｅメールを通じて運転手の受信箱へ、または運転手の連絡先のいずれかへ、送ることができる。メモはまた、ユーザが職場に到着するときにＢｌｕｅｔｏｏｔｈインターフェイスを介してコンピュータデスクトップへ無線で送ることができ、またはリムーバブルＵＳＢフラッシュメモリードライブへ送ることができる。メモには、場所、天候、及び移動情報を含む先進コンテキスト情報を用いて自動的に注釈を付すこともできる。例えば「このメモは職場と製造施設との中間の幹線道路で交通渋滞につかまった夜に記録された」とする。かかる補足情報は、メモを見直すときに貴重な手がかりを提供する。
【００３７】
様々な情報へのアクセス
本発明のもうひとつの機能に様々な情報へアクセスする能力がある。情報は、幅広い出所から可聴形式（テキスト−スピーチ）で入手できる。第１に、制御装置１１は、個人的接続及び時間管理情報へのアクセスを提供する。これはｅメール（新規及び既読）、着信発呼者の名前及び番号、ＳＭＳメッセージ、ＭＭＳメッセージ、電話呼ログ、アドレス帳、カレンダー及びスケジュール、及びインスタントメッセージを含む。
【００３８】
第２に、制御装置１１はマルチフォーマットサポートを提供する。これは、プレーンテキスト、オーディオ添付ファイル（すなわち．ｗａｖ、．ｍｐ３）、ＨＴＭＬ（すなわち符号化ｅメール及びウェブサイト）、Ｗｏｒｄ及びＰｏｗｅｒＰｏｉｎｔファイルのプレーンテキスト部分、Ａｄｏｂｅ  Ｐｏｒｔａｂｌｅ  Ｄｏｃｕｍｅｎｔフォーマット（ＰＤＦ）、ＯｐｅｎＤｏｃｕｍｅｎｔフォーマット、上記フォーマットの圧縮及び／または符号化添付ファイル（すなわち．ｚｉｐ）を含む、読み上げ可能なｅメール添付ファイルを含む。
【００３９】
第３に、制御装置１１は情報へのリモートアクセスを提供する。これは既存のニュースソース（すなわち既存ＲＳＳ供給）とサポートされたウェブサイトとを含む。これはまた、天候、カスタム警報（すなわち株価トリガー）、交通状況、個人向けニュース、ｅブック（オーディオブックに限定されないあらゆるｅブック）、個人向けオーディオ供給、乗員のための個人向け画像またはビデオ供給を含む、付加価値サービスの契約利用を含む。
【００４０】
第４に、デバイスは環境及び位置認識を提供する。これは、現在位置及びナビゲーション情報、地域天候条件、車両ステータス、及び関連位置固有情報を含む（すなわち「職場」はどこ、「自宅」はどこ？）。
【００４１】
パーソナライゼーション
本発明のもうひとつの機能は、ｅメールの取り扱い、ｅメールの通知、時間感応ルール、車両認識行動、テキスト−スピーチ選好、及び多ユーザサポートのための幅広いパーソナライゼーション（ｐｅｒｓｏｎａｌｉｚａｔｉｏｎ）とカスタマイゼーション（ｃｕｓｔｏｍｉｚａｔｉｏｎ）である。
【００４２】
ユーザのプロファイル３０の中にあるｅメール取り扱い設定によって、運転手は制御装置１１の内蔵インテリジェントｅメール解析処理を使用できる。これにより運転手は、取るに足りない着信ｅメールのたびに通知を受けずにすむ。インテリジェント解析機能は、内容と送信者に基づく自動返答、転送、及び優先順位付け、及び難しい語句（すなわちｅメールアドレスとウェブサイトＵＲＬ）と単純な名前及び語との置き換えを含む。運転手はまた、新しいｅメールが届くときに選ばれた情報だけを聞くことを選ぶことができる（すなわち、送信者の名前、または送信者と主題、または短い摘要のみ）。送信者または特定のキーワードに基づきｅメール「呼び出し音」を着信ｅメールに使用することもできる。頻繁に使われる応答を送信するため、あらかじめ準備されたテキストまたは音声返答を使用できる（すなわち「私は現在移動中です」）。事務補佐等、あらかじめ選ばれた受取人へｅメールを自動的に転送するため、あらかじめ準備された短い応答を使用することもできる。運転手はまた、ｅメールアドレス構成と複数のｅメールアドレスルールの両方を設定できる（すなわち、ｍｅ＠ｗｏｒｋ．ｃｏｍへ送信されたｅメールに返答するときにはｍｅ＠ｗｏｒｋ．ｃｏｍを使用し、ただし新しいｅメールを作成するときにはｍｅ＠ｍｏｂｉｌｅ．ｃｏｍを使用する）。
【００４３】
運転手は通知をカスタマイズすることもできる。これは、発呼者または送信者及び主題に基づきｅメールと電話呼に優先順位をつけることを含む（すなわち、ベンからのｅメールは決して読み上げない、またはジョージからｅメールが届く場合には他のｅメールより前に読む）。運転手はまた、受け取る通知の量を制限できる（すなわち、通知間の最小時間、または短時間に読まれるｅメールの最大数を設定する）。
【００４４】
プロファイル３０の中にある時間感応ルールは、「朝は構わないでくれ」または「これらの時間帯だけ着信ｅメールを通知せよ」等のオプションを含むことができる。運転手はまた、モバイルデバイスからカレンダーとスケジューリングの項目に基づき可聴備忘録タイプを構成できる。車両内でのユーザの存在に基づき車両認識行動を構成できる。これらの行動は、自動返答の内容、事務補佐またはその他の人物へ特定のｅメールを自動的に転送するための所定の宛先及びルールを含む。これらはまた、複数のＢｌｕｅｔｏｏｔｈ対応モバイルデバイスが存在する場合に取るべき行動を含む（すなわち、沈黙「無妨害」モードへ切り替える、または何もしない）。
【００４５】
デバイスのテキスト−スピーチ設定を構成することもできる。これは、速度、音声、音量等、スピーチの特性を含む。音声は男性または女性に設定でき、アメリカ英語、イギリス英語、フランス語、スペイン語、ドイツ語、イタリア語、オランダ語、及びポルトガル語を含むがこれらに限定されない、数々の言語を話すよう設定することもできる。デバイスには言語の基本セットが用意され、代替言語は先々入手可能となる。運転手は、難しい連絡先名等、特定の語の、または「Ｈ２Ｏ」等、特化された頭字語または記号の、発音について個人的な選好を設定できる。デフォルトにより、ほとんどの頭字語は１文字ごとに読まれる（すなわちＩＭＳ  ＵＳＢ）。
【００４６】
スピーチ認識性能とテキスト−スピーチ性能を強化するため特定の語または語句に関する情報を使用でき、これはコンテキスト感応ショートカットを含む。例えば、もしも運転手がｅメールを書き取らせているなら、愛称をｅメールアドレスに拡張する。加えて、一般的な名前が見つかる場合には、ｅメールアドレスをこれに拡張する。運転手は、カスタム音声プロンプトまたは挨拶を設定できる。
【００４７】
デバイスはまた、多数の人々が同じデバイスを共有する多ユーザサポートを備える。デバイスは、各人をそれぞれのモバイルデバイス１２によって自動的に識別し、各運転手につき個別のプロファイル３０を保守する。
【００４８】
接続性
制御装置１１の接続機能は、制御装置がハンズフリーオーディオシステムとして機能することを可能にする。これは、Ｂｌｕｅｔｏｏｔｈ対応車両（ＨＳ、ＨＦＰ、及びＡ２ＤＰ）、追加装備型（ａｆｔｅｒ−ｍａｒｋｅｔ）ハンズフリー車両製品、プライバシーを提供するためのサポートされたヘッドセット、を含むがこれらに限定されない、サポートされたＢｌｕｅｔｏｏｔｈハンズフリーデバイスとやり取りする。Ｂｌｕｅｔｏｏｔｈまたはその他無線サポートを具備しない車両の場合、制御装置１１は有線接続を通じて車両のオーディオシステム１６へ直に接続できる。無線接続を欠く既存車両のため、オプションの追加装備型Ｂｌｕｅｔｏｏｔｈキットの形で後付けソリューションを使用することもできる。
【００４９】
システム１０は、制御装置１１にアクセスするためのリモコン装置２６を含み得る。緊急時の直接的援助のため、必要に応じてＧＰＳ位置情報を提供する緊急応答サポートを使用できる。運転手は、音楽のストリーミングや画像コンテンツの提供等（すなわち、ＰｏｗｅｒＰｏｉｎｔ、ｅメールに添付された画像、スライドショー）、先進無線オーディオ／ビジュアルシステムを通じて制御装置１１を使用することもできる。一体型ステアリングホイールコラムボタンもまた使用可能なオプションである。
【００５０】
制御装置１１はまた、コンピュータと外部デバイスとへ接続できる。これは、パーソナルエリアネットワーク（ＰＡＮ）上で情報を簡便に交換するためＢｌｕｅｔｏｏｔｈを備えるパーソナルコンピュータを含む。これはまた、位置認識のためのＧＰＳデバイス（Ｂｌｕｅｔｏｏｔｈまたは他の無線または有線接続を備える）を含む。これはまた、私的なｅブックライブラリのための格納デバイス（Ｂｌｕｅｔｏｏｔｈまたは他の無線または有線）と、統一ハンズフリーインターフェイスによりオフラインコンテンツを管理することとを含む。ｉＰｏｄまたは他の音楽プレイヤーを音声コマンドで制御するためオプションのケーブルを使用できる。運転手は、デバイスのＵＳＢポートを通じて、別個のモバイルデバイスを使用しない直接モバイルアクセスのためのＵＳＢ  ＧＰＲＳ／ＥＤＧＥ／３Ｇデバイスや高速インターネットアクセスのためのＵＳＢ  ＷｉＦｉ等の品物を取り付けることにより、デバイスの機能を拡張できる。
【００５１】
更新と拡張
運転手は、先々の強化を標準Ｂｌｕｅｔｏｏｔｈ対応デバイスを用いて無線で制御装置１１に加えることができる。これは、情報を転送し同期をとるためのデスクトップまたはノートブックコンピュータとの無線転送サポートを含む。ステレオ及び上質オーディオのため先進Ｂｌｕｅｔｏｏｔｈプロファイルサポート（すなわちＡ２ＤＰ）も使用できる。
【００５２】
前述したとおり、制御装置１１は２つのＵＳＢポートを具備する。標準ＵＳＢポートは、標準ＵＳＢフラッシュドライブに選好設定を格納するため、デバイスによって記録されたオフラインメモ及び筆記を格納及び移動するため、先々の拡張、更新、アドオン機能のため、標準ＵＳＢデバイスに対する簡便なアクセスを提供する。二重目的ＵＳＢ  ２．０「オン・ザ・ゴー（ｏｎ−ｔｈｅ−ｇｏ）」ポートは、ＵＳＢデバイスにアクセスする上記の機能と、標準ケーブルによるコンピュータへの直接接続の両方を提供する（つまり、ちょうどデジタルカメラまたはＧＰＳ装置をコンピュータへ直に接続するように）。
【００５３】
特許法制度の規定に従い、上述した模範的構成は本発明の好適な実施形態を代表するものとみなされる。ただし、具体的に図解し説明したものとは別の仕方で本発明を、これの精神または範囲から逸脱せず、実践できることに注意されたい。
【図面の簡単な説明】
【００５４】
【図１】本発明の一実施形態による通信システムの概略図である。
【図２】図１の通信システムの制御装置の構成要素のいくつかを示す図である。
【図１】
2009503920.tif 000003
【図２】
2009503920.tif 000004
【国際調査報告】
2009503920.tif 000005
2009503920.tif 000006